(57)【要約】      （修正有）【課題】無段階式ボリュームに簡易に取り付けることができるボリューム回転位置設定器具を提供する。【解決手段】回転軸Ｘを中心に回転可能なように基板１００上に配置され、指示部を所定位置に設定するボリューム回転規制器具１であって、回転軸Ｘから遠ざかる方向に延びる調整ツマミ側棒状部材１１Ｂを有し、調整ツマミ側棒状部材１１が指示部に対応するように無段階式ボリューム３０に固定される調整ツマミ１１と、無段階式ボリューム３０を囲むようにして基板１００に配置されるベース部材１４と、ベース部材１４に固定され、調整ツマミ１１の回転を規制可能な回転規制部材１５と、を備え、調整ツマミ１１が回転軸Ｘを中心に回転して、調整ツマミ側棒状部材１１Ｂが回転規制部材１５に当接すると、調整ツマミ１１の回転は規制され、無段階式ボリューム３０の指示部は、所定の位置に設定されるボリューム回転規制器具。【選択図】図１
2016128975.tif 000002
【特許請求の範囲】
【請求項１】
所定方向に延びる回転軸を中心に回転可能なように基板上に配置され、指示部を有する無段階式ボリュームの回転を規制することによって、前記指示部を所定位置に設定するボリューム回転規制器具であって、
前記無段階式ボリュームに固定され、前記無段階式ボリュームと共に前記回転軸を中心に回転可能な調整ツマミであって、前記回転軸から遠ざかる方向に延びる調整ツマミ側棒状部材を有し、前記調整ツマミ側棒状部材が前記指示部に対応するように前記無段階式ボリュームに固定される調整ツマミと、
前記無段階式ボリュームを囲むようにして前記基板に配置されるベース部材と、
前記ベース部材に固定され、前記調整ツマミ側棒状部材と当接することによって、前記調整ツマミの回転を規制可能な回転規制部材と、を備え、
前記調整ツマミが前記回転軸を中心に回転して、前記調整ツマミ側棒状部材が前記回転規制部材に当接すると、前記調整ツマミの回転は規制され、前記無段階式ボリュームの前記指示部は、前記所定位置に設定されるボリューム回転規制器具。
【請求項２】
前記回転規制部材は、２つ設けられている請求項１に記載のボリューム回転規制器具。
【請求項３】
前記回転規制部材は、前記ベース部材に固定され、前記回転軸から遠ざかる方向に延びる回転規制側第１棒状部材と、前記回転規制側第１棒状部材に固定され、前記回転軸に略平行に延びる回転規制側第２棒状部材と、を有し、前記調整ツマミ側棒状部材は前記回転規制側第２棒状部材に当接可能である請求項１又は請求項２に記載のボリューム回転規制器具。
【発明の詳細な説明】
【技術分野】
【０００１】
本発明は、無段階式ボリュームの回転を規制するボリューム回転位置設定器具に関する。
【背景技術】
【０００２】
従来、変電設備等において、地絡過電圧継電器が使用されている。地絡過電圧継電器は、変電設備等における回路に地絡が発生した場合、地絡が発生したことを知らせるため使用される機器である。地絡過電圧継電器は、回路とアースとの間に発生する地絡電圧が所定の閾値を超えると、地絡が発生したと判断し、警報信号を出力する。
【０００３】
地絡過電圧継電器は、指示部を有する無段階式ボリュームを備えている。地絡過電圧継電器において、所定の閾値は、この無段階式ボリュームを回転させて、指示部を所定の位置に設定することによって設定される。
ここで、指示部を所定の位置に設定する方法としては、作業者が無段階式ボリュームを手で回転させて、目視で指示部を所定の位置に設定する方法が考えられる。しかし、この方法では、指示部を正確に所定の位置に設定することは困難である。そのため、指示部を有する無段階式ボリュームを回転させて、指示部を所定の位置に設定するためのボリューム回転位置設定器具を使用することが考えられる。
【０００４】
この様なボリューム回転位置設定器具としては、特許文献１のボリューム回転位置設定器具が知られている。特許文献１のボリューム回転位置設定器具は、基体１１に設けられた無段階式ボリュームである回転軸２２を回転させるものであり、ツマミ側突起５１を有するツマミ５２と、回転規制部材４０と、を備えている。特許文献１のボリューム回転位置設定器具においては、ツマミ側突起５１が回転規制部材４０に当接することによって、回転軸２２の回転が規制される。その結果、回転軸２２は所定の位置に設定される。
【先行技術文献】
【特許文献】
【０００５】
【特許文献１】特開２００３−３３７６２８号公報
【発明の概要】
【発明が解決しようとする課題】
【０００６】
しかし、特許文献１のボリューム回転位置設定器具は、回転規制部材４０を基体１１に設けるために、基体１１に凹部１４を設けなければならない。そのため、特許文献１のボリューム回転位置設定器具は、無段階式ボリュームへの取り付けが簡易とはいえない。
【０００７】
本発明は、無段階式ボリュームに簡易に取り付けることができるボリューム回転位置設定器具を提供することを目的とする。
【課題を解決するための手段】
【０００８】
（１）所定方向に延びる回転軸を中心に回転可能なように基板上に配置され、指示部を有する無段階式ボリュームの回転を規制することによって、前記指示部を所定位置に設定するボリューム回転規制器具であって、前記無段階式ボリュームに固定され、前記無段階式ボリュームと共に前記回転軸を中心に回転可能な調整ツマミであって、前記回転軸から遠ざかる方向に延びる調整ツマミ側棒状部材を有し、前記調整ツマミ側棒状部材が前記指示部に対応するように前記無段階式ボリュームに固定される調整ツマミと、前記無段階式ボリュームを囲むようにして前記基板に配置されるベース部材と、前記ベース部材に固定され、前記調整ツマミ側棒状部材と当接することによって、前記調整ツマミの回転を規制可能な回転規制部材と、を備え、前記調整ツマミが前記回転軸を中心に回転して、前記調整ツマミ側棒状部材が前記回転規制部材に当接すると、前記調整ツマミの回転は規制され、前記無段階式ボリュームの前記指示部は、前記所定位置に設定されるボリューム回転規制器具である。
【０００９】
（２）前記回転規制部材は、２つ設けられている（１）に記載のボリューム回転規制器具である。
【００１０】
（３）前記回転規制部材は、前記ベース部材に固定され、前記回転軸から遠ざかる方向に延びる回転規制側第１棒状部材と、前記回転規制側第１棒状部材に固定され、前記回転軸に略平行に延びる回転規制側第２棒状部材と、を有し、前記調整ツマミ側棒状部材は前記回転規制側第２棒状部材に当接可能である（１）又は（２）に記載のボリューム回転規制器具である。
【発明の効果】
【００１１】
本発明によれば、無段階式ボリュームに簡易に取り付けることができるボリューム回転位置設定器具を提供することができる。
【図面の簡単な説明】
【００１２】
【図１】本発明の実施形態のボリューム回転規制器具１の縦断面図である。
【図２】本発明の実施形態のボリューム回転規制器具１の分解斜視図である。
【図３】本発明の実施形態のベース部材及び回転規制部材の分解斜視図である。
【図４】（Ａ）〜（Ｂ）は、ボリューム回転規制器具１の動作を示すための図である。
【発明を実施するための形態】
【００１３】
ボリューム回転規制器具１は、金属基板１００上に設けられた無段階式ボリューム３０の回転を規制するための器具である。無段階式ボリューム３０は、例えば、地絡過電圧継電器の閾値を設定するためのボリュームである。
【００１４】
図１及び図２に示すように、無段階式ボリューム３０は、全体視で略円柱形状であり、回転軸Ｘを中心に回転可能なように金属基板１００上に配置されている。回転軸Ｘは、金属基板１００に垂直な軸である。無段階式ボリューム３０は、上面に指示部３１を有している。金属基板１００における無段階式ボリューム３０の周囲には、複数の目盛１０１が設けられている。無段階式ボリューム３０が回転し、指示部３１が複数の目盛１０１のうちの所定目盛に一致すると、地絡過電圧継電器の閾値は、所定目盛に対応する閾値に設定される。
【００１５】
ボリューム回転規制器具１は、このような無段階式ボリューム３０の回転を規制することによって、指示部３１を所定位置（所定目盛）に設定する。
図１及び図２に示すように、ボリューム回転規制器具１は、調整ツマミ１１と、ねじ部材１２と、ボリューム把持部材１３と、ベース部材１４と、回転規制部材１５と、を備えている。
【００１６】
調整ツマミ１１は、ツマミ本体部１１Ａと、調整ツマミ側棒状部材としての調整針１１Ｂと、を備えている。ツマミ本体部１１Ａは、円柱形状の部材である。ツマミ本体部１１Ａの側面には、貫通口１１Ａ１が設けられている。ツマミ本体部１１Ａの底面には、ツマミ側ねじ穴１１Ａ２が設けられている。調整針１１Ｂは、細長い棒状の部材であり、貫通口１１Ａ１を貫通するように配置されている。そのため、調整針１１Ｂは、回転軸Ｘから遠ざかる方向に向けて、ツマミ本体部１１Ａの側面から延びている。また、調整針１１Ｂは、金属基板１００に略平行に延びている。調整針１１Ｂは、貫通口１１Ａ１を貫通した部分が、ねじ及びＬ字金具等でツマミ本体部１１Ａにねじ止めされることによって、ツマミ本体部１１Ａに固定されている。
【００１７】
ボリューム把持部材１３は、把持部上面１３Ａを上底面とし、把持部側面１３Ｂを側面（周面）とし、把持部下面１３Ｄを下底面とした有底の円柱形部材である。ボリューム把持部材１３は、弾性材料で形成されている。把持部上面１３Ａには、把持部側ねじ穴１３Ｃが設けられている。把持部下面１３Ｄ（図１参照）には、ボリューム側嵌合穴１３Ｅ（図１参照）が設けられている。ボリューム側嵌合穴１３Ｅの内径は、無段階式ボリューム３０の外径と略等しい。ボリューム把持部材１３は、ボリューム側嵌合穴１３Ｅに無段階式ボリューム３０を嵌合させることによって、無段階式ボリューム３０を把持する。
【００１８】
調整ツマミ１１とボリューム把持部材１３とは、ねじ部材１２によって互いに固定されることにより、一体化される。より具体的には、ねじ部材１２の一方端が調整ツマミ１１のツマミ側ねじ穴１１Ａ２にはめ込まれる（螺合される）とともに、ねじ部材１２の他方端が把持部側ねじ穴１３Ｃにはめ込まれる（螺合される）ことによって、調整ツマミ１１とボリューム把持部材１３とが一体化される。
【００１９】
図１〜図３に示すように、ベース部材１４は、第１円筒部１４Ａと、第２円筒部１４Ｂと、第２円筒部１４Ｂの下側に設けられたフランジ部１４Ｃと、を備えている。また、第１円筒部１４Ａは、相対的に外径が小さい小外径円筒部１４Ａ１と、相対的に外径が大きい大外径円筒部１４Ａ２と、を備えている。小外径円筒部１４Ａ１の外径は、第２円筒部１４Ｂの内径と略一致する。大外径円筒部１４Ａ２の外径は、第２円筒部１４Ｂの外径と略一致する。小外径円筒部１４Ａ１の外面及び第２円筒部１４Ｂの内面には、互いに螺合可能なねじ溝が設けられている。フランジ部１４Ｃの下面は、磁石になっており、金属基板１００に着脱可能に固定される。
【００２０】
回転規制部材１５は、環状部１５Ａと、環状部１５Ａに設けられた回転規制針１５Ｂと、環状部１５Ａに設けられた固定用突起１５Ｃと、を備えている。また、ボリューム回転規制器具１は、回転規制部材１５を２つ備えている。回転規制針１５Ｂは、回転軸Ｘから遠ざかる方向に向けて、ベース部材１４の側面から延びる回転規制側第１棒状部材としての第１針部１５Ｂ１と、第１針部の先端に設けられ、回転軸Ｘに略平行に延びる回転規制側第２棒状部材としての第２針部１５Ｂ２とを備えている。第２針部１５Ｂ２は、第１針部１５Ｂ１から第１円筒部１４Ａの側に屈曲している。
【００２１】
ベース部材１４と環状部１５Ａとは、図３に示すように組み合わされて、一体化される。具体的には、以下の通りである。ベース部材１４の第１円筒部１４Ａの小外径円筒部１４Ａ１が、２つの回転規制部材１５の環状部１５Ａに通された上で、第２円筒部１４Ｂに挿入される。上述したように、小外径円筒部１４Ａ１の外面及び第２円筒部１４Ｂの内面には、互いに螺合可能なねじ溝が設けられている。そのため、小外径円筒部１４Ａ１が第２円筒部１４Ｂに螺合されることによって、第１円筒部１４Ａは、第２円筒部１４Ｂに固定されることになる。また、２つの回転規制部材１５は、第１円筒部１４Ａと第２円筒部１４Ｂとで挟持されることになる。そのため、２つの回転規制部材１５は、ベース部材１４に対して、回転可能に配置されることになる。
【００２２】
次に、図１、図２及び図４を参照しながら、ボリューム回転規制器具１の配置方法を説明する。
ボリューム回転規制器具１の配置方法は、以下の手順（１）〜（３）の通りである。
【００２３】
（１）作業者は、ベース部材１４が無段階式ボリューム３０を囲むように、ベース部材１４を金属基板１００に配置する。ベース部材１４は、図１に示すように、金属基板１００上に配置される。ベース部材１４のフランジ部１４Ｃの下面は磁石となっているため、ベース部材１４は、金属基板１００に固定される。
【００２４】
（２）作業者は、ベース部材１４に対して、２つの回転規制部材１５をそれぞれ回転させることによって、図４に示すような所定位置に２つの回転規制針１５Ｂを配置する。例えば、２つの回転規制針１５Ｂは、金属基板１００上の目盛１０１のうちの所定目盛に一致するように配置される。２つの回転規制針１５Ｂがそれぞれ所定の位置に配置された状態を維持するため、作業者は、回転規制部材１５をベース部材１４に固定する。例えば、作業者は、ねじ及びＬ字金具等で回転規制部材１５の固定用突起１５Ｃをねじ止めすることによって、回転規制部材１５をベース部材１４に固定する。回転規制針１５Ｂは、図４に示すように固定される。
【００２５】
（３）作業者は、ボリューム側嵌合穴１３Ｅの開口と無段階式ボリューム３０の上面とを一致させるように、一体化された調整ツマミ１１及びボリューム把持部材１３を配置する。次に、作業者は、一体化された調整ツマミ１１及びボリューム把持部材１３を無段階式ボリューム３０に向けて押しこむ。その結果、図１に示すように、無段階式ボリューム３０は、ボリューム側嵌合穴１３Ｅに嵌合することになり、ボリューム把持部材１３によって把持される。そのため、一体化された調整ツマミ１１及びボリューム把持部材１３は、無段階式ボリューム３０に固定されることになる。よって、調整ツマミ１１が回転軸Ｘを中心に回転すると、無段階式ボリューム３０は、調整ツマミ１１と共に回転軸Ｘを中心に回転することになる。このとき、調整針１１Ｂは、無段階式ボリューム３０の指示部３１と一致するように配置される。
【００２６】
以上説明したように、作業者が（１）〜（３）の手順を行うことにより、ボリューム回転規制器具１は、図１及び図４に示されるように配置される。
【００２７】
次に、図４を参照しながら、ボリューム回転規制器具１の使用方法を説明する。
作業者は、図４（Ａ）に示すように、時計回り（又は反時計回り）に調整ツマミ１１を回転させる。上述したように、調整ツマミ１１及びボリューム把持部材１３は、無段階式ボリューム３０に固定されているため、無段階式ボリューム３０は調整ツマミ１１と共に回転する。図４（Ｂ）に示すように、調整針１１Ｂが回転規制針１５Ｂにおける第２針部１５Ｂ２に当接すると、調整ツマミ１１の回転が規制される。そのため、調整ツマミ１１の回転は、調整針１１Ｂが回転規制針１５Ｂと一致する位置で止まることになる。
【００２８】
上述したように、調整針１１Ｂは、無段階式ボリューム３０の指示部３１と一致するように配置されている。そのため、無段階式ボリューム３０の指示部３１も、回転規制針１５Ｂに一致するように設定されることになる。
【００２９】
よって、作業者は、回転規制針１５Ｂが所定の位置になるように、ボリューム回転規制器具１を金属基板１００上に配置しておけば、無段階式ボリューム３０の指示部３１を当該所定の位置に容易に設定することができる。
【００３０】
以上の構成を有する一実施形態のボリューム回転規制器具１は、回転軸Ｘを中心に回転可能なように金属基板１００上に配置され、指示部３１を有する無段階式ボリューム３０の回転を規制することによって、指示部３１を所定位置に設定するボリューム回転規制器具である。また、ボリューム回転規制器具１は、無段階式ボリューム３０に固定され、無段階式ボリューム３０と共に回転軸Ｘを中心に回転可能な調整ツマミ１１であって、回転軸Ｘから遠ざかる方向に延びる調整針１１Ｂを有し、調整針１１Ｂが指示部３１に対応するように無段階式ボリューム３０に固定される調整ツマミ１１と、無段階式ボリューム３０を囲むようにして金属基板１００に配置されるベース部材１４と、ベース部材１４に固定され、調整針１１Ｂと当接することによって、調整ツマミ１１の回転を規制可能な回転規制部材１５と、を備えている。そして、調整ツマミ１１は回転軸Ｘを中心に回転して、調整針１１Ｂが回転規制部材１５に当接すると、調整ツマミ１１の回転は規制され、無段階式ボリューム３０の指示部３１は、所定の位置に設定されることになる。
【００３１】
そのため、一実施形態のボリューム回転規制器具１によれば、無段階式ボリュームに簡易に取り付けることができるボリューム回転位置設定器具を提供することができる。
以上、本発明の一実施形態について説明したが、本発明の一実施形態は、上述したものに限るものではない。例えば、上述した実施形態によれば、回転規制部材１５は、２つ設けられていたが、１つであってもよい。
【００３２】
また、ベース部材１４は、磁石によって金属基板１００に着脱可能に固定されていたが、両面テープ等によって着脱可能に固定されていてもよい。また、調整ツマミ１１とボリューム把持部材１３とは、ねじ部材１２で固定された別部材であったが、一体となった部材であってもよい。また、無段階式ボリューム３０は、地絡過電圧継電器のものでなくてもよく、様々な機器に使用可能である。
【符号の説明】
【００３３】
１      ボリューム回転規制器具
１１    調整ツマミ
１１Ｂ  調整針（調整ツマミ側棒状部材）
１４    ベース部材
１５    回転規制部材
１５Ｂ１  第１針部（回転規制側第１棒状部材）
１５Ｂ２  第２針部（回転規制側第２棒状部材）
３０    無段階式ボリューム
３１    指示部
１００  金属基板（基板）
Ｘ      回転軸
【図１】
2016128975.tif 000003
【図２】
2016128975.tif 000004
【図３】
2016128975.tif 000005
【図４】
2016128975.tif 000006